(57)【特許請求の範囲】
【請求項１】
ハウジングの後端部に筒状の周壁が形成され、該周壁に開口縁部から切り込まれた電線挿入溝が形成され、該電線挿入溝と連設された電線固定溝が前記周壁の周方向に形成され、前記電線挿入溝と該電線固定溝とに包囲された開口縁部に可撓性を有する電線係止アームが形成され、前記電線固定溝から前記電線挿入溝への電線の移動を阻止する爪部が前記電線係止アームの先端に形成されたことを特徴とするコネクタの電線取り回し構造。
【請求項２】
前記電線固定溝が、前記電線挿入溝の底壁より浅い部分で該電線挿入溝に連結され、前記電線固定溝を形成する側壁と前記底壁との間に傾斜面が連設されていることを特徴とする請求項１記載のコネクタの電線取り回し構造。
【発明の詳細な説明】
【０００１】
【産業上の利用分野】
本発明は、コネクタハウジング（以下、単にハウジングと言う。）から引き出された電線の方向を規制する電線係止アームを備えたコネクタの電線取り回し構造に関する。
【０００２】
【従来の技術】
通常、ハウジングから引き出された複数の電線は、所定の方向に配索されるために屈曲させられる。そのため、ハウジングに電線屈曲用のカバーを設けたものが提案されている。例えば、車両のトランスミッションに取り付けられるコネクタについて説明すると、図７に示すようにケーシングに穿設された図示しない貫通穴にコネクタハウジング１の嵌合部３が嵌合される。この嵌合部３の外周上には周溝５が形成され、周溝５にはＯリング７が取り付けられる。このＯリング７は、嵌合部３と貫通穴との間をシールしてケーシング内のオイル漏れを防止するものである。
【０００３】
このハウジング１内には端子収容室９が形成され、端子収容室９は電線１１が圧着された端子１３を収容する。端子収容室９の後方は電線挿通路１５となり、この電線挿通路１５には端子収容室９からの電線１１が通される。また、端子収容室９の後部及び電線挿通路１５には、オイル漏れを防止するためのモールド樹脂１７が充填されるとともに、ゴム栓１９が嵌挿されている。
【０００４】
更に、ハウジング１の後部には外周部を筒状に延ばして形成した周壁２１が設けられ、周壁２１の後端は開口２３となる。従って、電線挿通路１５を通った電線１１は、周壁２１の開口２３から引き出されることになる。この周壁２１には開口２３の縁部から切り込まれた溝２５が形成され、溝２５には周壁２１内に通された電線１１が略９０°屈曲されている。また、周壁２１の開口２３には別体のカバー２７が嵌合されるようになっており、カバー２７は係止片２９を周壁２１に形成された係止穴３１に係合されることで固定される。
【０００５】
従って、電線挿通路１５から引き出された電線１１は、屈曲されて溝２５に収められた後、開口２３にカバー２７が嵌められることで、屈曲状態で方向が規制され、所望の配索方向へ取り回しが可能となるものである。
【０００６】
【発明が解決しようとする課題】
上述した電線取り回し構造は、電線１１を屈曲させて挿入する溝２５が周壁２１に形成され、溝２５に挿入された電線１１を保持するために、開口２３に別体のカバー２７が嵌合される構成である。
しかしながら、メンテナンス時において、電線取り回しのためにカバー２７をその度に取り外す必要があり、作業工数を増大させ作業性を低下させる問題がある。また、別部品としてカバー２７を用意しなければならないことから、部品管理が煩雑となり、部品コストも増大するという問題がある。
【０００７】
本発明の目的は、上記課題に鑑みてなされたものであり、電線取り回しのためのカバーを不要にして作業工数および部品コストの低減とともに、作業性の向上を図ることができるコネクタの電線取り回し構造を提供することにある。
【０００８】
【課題を解決するための手段】
本発明の上記目的は、ハウジングの後端部に筒状の周壁が形成され、該周壁に開口縁部から切り込まれた電線挿入溝が形成され、該電線挿入溝と連設された電線固定溝が周壁の周方向に形成され、電線挿入溝と該電線固定溝とに包囲された開口縁部に可撓性を有する電線係止アームが形成され、電線固定溝から電線挿入溝への電線の移動を阻止する爪部が電線係止アームの先端に形成されたことを特徴とするコネクタの電線取り回し構造によって達成することができる。
【０００９】
また上記目的は、電線固定溝が電線挿入溝の底壁より浅い部分で該電線挿入溝に連結され、電線固定溝を形成する側壁と底壁との間に傾斜面が連設されていることによって達成することができる。
【００１０】
【作用】
本発明に係わる上記構成のコネクタの電線取り回し構造においては、電線がハウジングの電線挿入溝に入るように手で曲げられてから電線固定溝方向に回転される。これにより、電線が電線係止アームを傾斜面から離反方向に撓ませることで傾斜面と爪部との間隙が広がり、電線が傾斜面に沿ってスムースに移動され、爪部をくぐって電線固定溝内に収められる。電線が電線固定溝内に収められると、電線係止アームが弾性復帰し、爪部と傾斜面との間隙が再び電線の外径より狭められる。よって、電線は爪部により電線固定溝内から電線挿入溝への移動が阻止され、カバーを使用することなく屈曲状態で所望の配索方向へ容易に取り回される。
【００１１】
【実施例】
以下、本発明に係るコネクタの電線取り回し構造の好適な一実施例を図１乃至図６を参照して詳細に説明する。図１は本発明のコネクタの電線取り回し構造の一実施例を示す斜視図、図２は図１における要部の作用説明図、図３は図１における電線屈曲前の状態を示す断面図、図４は図３におけるＡ方向からの矢視図、図５は図３における電線屈曲後の状態を示す断面図、図６は図５におけるＣ方向からの矢視図である。なお、図７に示した従来の部材又は部位と同一の部材又は部位には同一の符号を付し、重複する説明は省略する。
【００１２】
図１に示すようにハウジング４１の後部には外周部を筒状に延ばして形成した周壁４３が設けられており、周壁４３の後端は開口４５が形成されている。電線は、ハウジング４１内の電線挿通路（図示せず）から引き出され、周壁４３内を通り開口４５から引き出されることになる。この周壁４３には開口４５の縁部からハウジング４１の前部方向に切り込まれる電線挿入溝４７が形成され、この電線挿入溝４７には周壁４３内に通された電線が略９０°屈曲された状態で挿入される。
【００１３】
また、この周壁４３には円周方向に切り欠かれた電線固定溝４９が形成され、この電線固定溝４９は先端が閉塞されるとともに、基端が電線挿入溝４７と連結されている。即ち、電線固定溝４９と電線挿入溝４７とは、周壁４３に略Ｌ字状に切り欠かれた連続した溝である。また、電線固定溝４９は、電線挿入溝４７から周壁４３の円周方向に例えば円周長さに対して１／８程度の長さで切り欠かれている。
更に、電線挿入溝４７の底壁４７ａと電線固定溝４９の一方の側壁４９ａとの間には傾斜面５１が形成され、この傾斜面５１は電線挿入溝４７の最深部である底壁４７ａと電線固定溝４９の側壁４９ａとを連結している。即ち、傾斜面５１は、電線挿入溝４７から電線固定溝４９への電線の移動をスムースに行うための案内面となっている。
【００１４】
図２に示すように電線固定溝４９が円周方向に形成されることで、開口４５の縁部は、電線挿入溝４７と電線固定溝４９とによりハウジング４１から切り離された電線係止アーム５３を形成することになる。この電線係止アーム５３は、円周方向に延び且つ先端が電線挿入溝４７側で自由端となる。また、この電線係止アーム５３は、樹脂材からなるハウジング４１と一体成形されることで、先端が傾斜面５１に対して離反方向に弾性変位する可撓性を有している。
更に、電線係止アーム５３の先端には傾斜面５１方向に突出した爪部５５が形成され、この爪部５５は電線固定溝４９内からの電線の外れを阻止する鉤形状となっている。また、爪部５５と傾斜面５１との間には電線の外径より若干小さい間隙５７が確保されている。
【００１５】
このように構成されたコネクタの電線取り回し構造の作用を図３乃至図６に基づき説明する。図３に示すように周溝５にＯリング７が取り付けられたハウジング４１には、電線１１が圧着された端子１３が端子収容室９に収容されている。そして、この端子１３に圧着された電線１１は、端子収容室９の後方から電線挿通路１５を通り、周壁４３内から引き出されている。
【００１６】
図４に示すように、この状態より電線９０°曲げ工程に入ると、電線１１がハウジング４１の電線挿入溝４７に入るように手指等で曲げられる。次いで、矢印Ｂ方向に電線１１が略４５°回転されると、電線係止アーム５３が傾斜面５１から離反方向に撓められて間隙５７が拡張される。
そして、図５および図６に示すように電線１１が爪部５５をくぐって電線固定溝４９内に収められる。この際、電線１１は傾斜面５１に沿って移動され、スムースに電線固定溝４９内に案内される。
【００１７】
この電線１１が電線固定溝４９内に収められると、電線係止アーム５３が弾性復帰し、爪部５５と傾斜面５１との間隙５７が電線１１の外径より狭められ、電線１１が鉤形状の爪部５５によって、電線固定溝４９内から電線挿入溝４７への移動が阻止される。これにより、電線挿通路１５から引き出された電線１１は、屈曲状態で電線固定溝４９内に収められ、別体部品を使用せずに所望の配索方向へ極めて容易に取り回すことができる。
【００１８】
なお、上述した実施例の電線取り回し構造では、カバーを使用せずに所望配索方向への電線取り回しが可能になるとともに、電線１１が屈曲状態で固定できるので、端子後抜け方向に作用する外力に対して電線１１を担持することができ、別部品を設けずに電線の後抜けを防止することができる。
【００１９】
また、上述した実施例の電線取り回し構造では、電線を屈曲させる電線挿入溝４７、電線固定溝４９および電線係止アーム５３が周壁４３上に１箇所形成される場合を一例に説明したが、電線固定部は周壁４３に複数箇所形成されるものであっても良い。このような構成とすれば、電線配索方向が複数方向となる場合、所望の電線を振り分けて取り回しすることが可能となる。
【００２０】
【発明の効果】
以上説明したように本発明に係るコネクタの電線取り回し構造によれば、ハウジングの後部に周壁を形成し、この周壁に電線挿入溝と電線固定溝を形成するとともに、爪部を有した電線係止アームを形成したものである。
これにより、電線が手指等で曲げられ電線挿入溝に入れられてから、電線固定溝方向に回転させられ、爪部をくぐって電線固定溝内に収められる。そして、爪部によって電線固定溝内から電線挿入溝への移動が阻止され、屈曲状態で所望の配索方向への取り回しが可能となる。
よって、ハウジングのみで電線を容易に取り回すことができ、カバーが不要となることから、電線組付け工数および部品コストを低減できるとともに、作業性を向上させることができる。
【図面の簡単な説明】
【図１】本発明に係るコネクタの電線取り回し構造の一実施例を示す斜視図である。
【図２】図１における電線取り回し構造の要部を示す部分拡大図である。
【図３】図１における電線屈曲前の状態を示す断面図である。
【図４】図３におけるＡ方向からの矢視図である。
【図５】図３における電線屈曲後の状態を示す断面図である。
【図６】図５におけるＣ方向からの矢視図である。
【図７】従来の電線取り回し構造を有するコネクタの断面図である。
【符号の説明】
１１      電線
４１      ハウジング
４３      周壁
４５      開口
４７      電線挿入溝
４７ａ    底壁
４９      電線固定溝
４９ａ    側壁
５１      傾斜面
５３      電線係止アーム
５５      爪部
【図１】
0003565362.tif 000002
【図２】
0003565362.tif 000003
【図３】
0003565362.tif 000004
【図４】
0003565362.tif 000005
【図５】
0003565362.tif 000006
【図６】
0003565362.tif 000007
【図７】
0003565362.tif 000008